【手続補正書】
【提出日】平成18年2月7日(2006.2.7)
【手続補正１】
【補正対象書類名】特許請求の範囲
【補正対象項目名】全文
【補正方法】変更
【補正の内容】
【特許請求の範囲】
【請求項１】
第１の機能装置部と、第２の機能装置部とを備えると共に、前記第１の機能装置部と、前記第２の機能装置部とを遠隔制御する遠隔制御装置部とを備える複合装置であって、
前記遠隔制御装置部は、前記第１の機能装置部の遠隔制御用の操作ボタン群と、前記第２の機能装置部の遠隔制御用の操作ボタン群とを備え、
前記第１の機能装置部の遠隔制御用の操作ボタン群の少なくとも一部は、前記第２の機能装置部の遠隔制御用の操作ボタンとしても割り当てられており、かつ、特定の前記第２の機能装置部の遠隔制御機能は、前記第２の機能装置部の遠隔制御用の操作ボタンとしても割り当てられている前記第１の機能装置部の遠隔制御用の操作ボタンと重複して割り当てられていると共に、
前記遠隔制御装置の前記第１の機能装置部の遠隔制御用の操作ボタン群のうちの、前記特定の前記第２の機能装置部の遠隔制御機能が他の操作ボタンと重複して割り付けられている操作ボタンは、割り付けられている前記遠隔制御機能が、さらに別の遠隔制御機能に割付変更可能とされている
ことを特徴とする複合装置。
【請求項２】
請求項１に記載の複合装置において、
第１の機能装置部はゲーム機部であり、前記第２の機能装置部は記憶媒体に記憶されているデータを読み出して再生する再生装置部である
ことを特徴とする複合装置。
【請求項３】
請求項２に記載の複合装置において、
前記重複して割り付けられている再生についての遠隔制御機能は、サーチ再生機能であり、割付変更される前記別の再生についての遠隔制御機能は、再生位置を所定の時間後、または、所定時間前の再生位置にジャンプさせる機能である
ことを特徴とする複合装置。
【請求項４】
請求項１に記載の複合装置において、
前記遠隔制御装置部の操作ボタンを通じたユーザの操作に応じて、前記遠隔制御装置部の前記操作ボタンの割り付け機能の割付変更用画面を表示し、前記割付変更用画面において、前記遠隔制御装置部の操作ボタンを通じたユーザの設定変更入力を受け付けて、前記操作ボタンに対して割り付ける遠隔制御機能の変更設定を行なう操作ボタン割付変更受付手段を備える
ことを特徴とする複合装置。
【請求項５】
請求項４に記載の複合装置において、
前記操作ボタン割付変更受付手段は、
前記遠隔制御装置部により選択可能な、少なくとも、前記第１の機能装置部を示す絵記号、前記第２の機能装置部を示す絵記号および設定機能を示す絵記号を、表示画面の第１の方向に順に並べると共に、選択中の絵記号部分から、前記第１の方向に交差する第２の方向に、当該絵記号で示される装置や機能が提供する項目を並べるメニュー表示画面の表示手段と、
前記メニュー表示画面において、前記設定機能の絵記号が選択されている状態で、前記第２の方向に並べられた設定の前記項目のうちの、特定の設定項目の選択入力を、前記遠隔制御装置部を通じて受け付ける選択入力受付手段と、
前記選択入力受付手段で、前記第２の機能装置部の設定項目が選択されたときに、前記操作ボタンの割付変更項目を含む、前記第２の機能装置部の設定項目の一覧を表示する設定項目一覧表示手段と、
前記設定項目一覧表示手段により表示されている前記第２の機能装置部の設定項目のうちの、前記操作ボタンの割付変更項目が選択されたときに、当該操作ボタンについての複数個の割付機能を選択可能に表示する割付変更用画面を表示する手段と、
前記割付変更用画面において、割り付けられる割付機能の選択入力を受け付け、前記操作ボタンに対する設定された機能として記憶する記憶手段と、
を備え、前記記憶手段に記憶された前記操作ボタンに対する設定された機能を参照して、前記遠隔制御装置部からその後入力される遠隔制御信号を判断するようにする
ことを特徴とする複合装置。
【請求項６】
第１の機能装置部と、第２の機能装置部とを備えると共に、前記第１の機能装置部と、前記第２の機能装置部とを遠隔制御する遠隔制御装置部とを備える複合装置であって、
前記遠隔制御装置部の操作ボタンには、前記遠隔制御装置部が、前記複合装置が前記第１の機能装置部として動作するモードにおいては、前記第１の機能装置部の遠隔制御装置として動作し、前記複合装置が前記第２の機能装置部として動作するモードにおいては、前記第２の機能装置部の遠隔制御装置として動作するように、遠隔制御機能がモードに応じて切り替えられるように割り付けられ、
前記遠隔制御装置部の操作ボタン群に割り付けられる前記第２の機能装置部の遠隔制御機能のうちの特定の遠隔制御機能は、前記操作ボタン群中の操作ボタンと重複して割り当てられると共に、
前記遠隔制御装置部の操作ボタン群のうちの、前記特定の前記遠隔制御機能が他の操作ボタンと重複して割り付けられている操作ボタンは、割り付けられている前記遠隔制御機能が、さらに別の遠隔制御機能に割付変更可能とされている
ことを特徴とする複合装置。
【請求項７】
請求項６に記載の複合装置において、
第１の機能装置部はゲーム機部であり、前記第２の機能装置部は記憶媒体に記憶されているデータを読み出して再生する再生装置部であると共に、前記遠隔制御装置部は、前記ゲーム機部用の操作コントローラである
ことを特徴とする複合装置。
【請求項８】
請求項７に記載の複合装置において、
前記重複して割り付けられている再生についての遠隔制御機能は、サーチ再生機能であり、割付変更される前記別の再生についての遠隔制御機能は、再生位置を所定の時間後、または、所定時間前の再生位置にジャンプさせる機能である
ことを特徴とする複合装置。
【請求項９】
請求項６に記載の複合装置において、
前記遠隔制御装置部の操作ボタンを通じたユーザの操作に応じて、前記遠隔制御装置部の前記操作ボタンの割り付け機能の割付変更用画面を表示し、前記割付変更用画面において、前記遠隔制御装置部の操作ボタンを通じたユーザの設定変更入力を受け付けて、前記操作ボタンに対して割り付ける遠隔制御機能の変更設定を行なう操作ボタン割付変更受付手段を備える
ことを特徴とする複合装置。
【請求項１０】
請求項９に記載の複合装置において、
前記操作ボタン割付変更受付手段は、
前記遠隔制御装置部により選択可能な、少なくとも、前記第１の装置部を示す絵記号、前記第２の機能装置部を示す絵記号および設定機能を示す絵記号を、表示画面の第１の方向に順に並べると共に、選択中の絵記号部分から、前記第１の方向に交差する第２の方向に、当該絵記号で示される装置や機能が提供する項目を並べるメニュー表示画面の表示手段と、
前記メニュー表示画面において、前記設定機能の絵記号が選択されている状態で、前記第２の方向に並べられた設定項目のうちの、特定の設定項目の選択入力を、前記リモートコマンダあるいは前記操作コントローラを通じて受け付ける選択入力受付手段と、
前記選択入力受付手段で、前記第２の機能装置部の設定項目が選択されたときに、前記操作ボタンの割付変更項目を含む、前記第２の機能装置部の設定項目の一覧を表示する設定項目一覧表示手段と、
前記設定項目一覧表示手段により表示されている前記第２の機能装置部の設定項目のうちの、前記操作ボタンの割付変更項目が選択されたときに、当該操作ボタンについての複数個の割付機能を選択可能に表示する割付変更用画面を表示する手段と、
前記割付変更用画面において、割り付けられる割付機能の選択入力を受け付け、前記操作ボタンに対する設定された機能として記憶する記憶手段と、
を備え、前記記憶手段に記憶された前記操作ボタンに対する設定された機能を参照して、前記遠隔制御装置部からその後入力される遠隔制御信号を判断するようにする
ことを特徴とする複合装置。
【請求項１１】
第１の機能装置部と、記憶媒体に記憶されているデータを読み出して再生する第２の機能装置部とを備えると共に、前記第１の機能装置部および前記第２の機能装置部を遠隔制御する遠隔制御装置部とを備える複合装置の、前記遠隔制御装置部の操作ボタン機能割付変更方法であって、
前記遠隔制御装置部により選択可能な、少なくとも、前記ゲーム機部を示す絵記号、前記第２の機能装置部を示す絵記号および設定機能を示す絵記号を、表示画面の第１の方向に順に並べると共に、選択中の絵記号部分から、前記第１の方向に交差する第２の方向に、当該絵記号で示される装置や機能が提供する項目を並べるメニュー表示画面を表示画面に表示するメニュー表示工程と、
前記メニュー表示画面において、前記設定機能の絵記号が選択されている状態で、前記第２の方向に並べられた設定項目のうちの、特定の設定項目の選択入力を、前記リモートコマンダあるいは前記操作コントローラを通じて受け付ける選択入力受付工程と、
前記選択入力受付工程で、前記第２の機能装置部の設定項目が選択されたときに、前記操作ボタンの割付変更項目を含む、前記第２の機能装置部の設定項目の一覧を表示する設定項目一覧表示工程と、
前記設定項目一覧表示工程において表示されている前記第２の機能装置部の設定項目のうちの、前記操作ボタンの割付変更項目が選択されたときに、当該操作ボタンについての複数個の割付機能を選択可能に表示する割付変更用画面を表示する工程と、
前記割付変更用画面において、割り付けられる割付機能の選択入力を受け付け、前記操作ボタンに対する設定された機能として記憶する記憶工程と、
を備え、前記記憶工程で記憶された前記操作ボタンに対する設定された機能を参照して、前記リモートコマンダからその後入力される遠隔制御信号を判断するようにする
ことを特徴とする複合装置の遠隔制御装置部の操作ボタン機能割付変更方法。
【請求項１２】
請求項１１に記載の複合装置の遠隔制御装置部の操作ボタン機能割付変更方法において、
前記第２の機能装置部は、再生装置部であって、
前記操作ボタンの前記割付変更項目は、サーチ再生機能と、再生位置を所定の時間後、または、所定時間前の再生位置にジャンプする機能である
ことを特徴とする複合装置の遠隔制御装置部の操作ボタン機能割付変更方法。
【手続補正２】
【補正対象書類名】明細書
【補正対象項目名】発明の名称
【補正方法】変更
【補正の内容】
【発明の名称】複合装置および複合装置の遠隔制御装置部の操作ボタン機能割付変更方法
【手続補正３】
【補正対象書類名】明細書
【補正対象項目名】００１０
【補正方法】変更
【補正の内容】
【００１０】
前記課題を解決するため、請求項１の発明は、
第１の機能装置部と、第２の機能装置部とを備えると共に、前記第１の機能装置部と、前記第２の機能装置部とを遠隔制御する遠隔制御装置部とを備える複合装置であって、
前記遠隔制御装置部は、前記第１の機能装置部の遠隔制御用の操作ボタン群と、前記第２の機能装置部の遠隔制御用の操作ボタン群とを備え、
前記第１の機能装置部の遠隔制御用の操作ボタン群の少なくとも一部は、前記第２の機能装置部の遠隔制御用の操作ボタンとしても割り当てられており、かつ、特定の前記第２の機能装置部の遠隔制御機能は、前記第２の機能装置部の遠隔制御用の操作ボタンとしても割り当てられている前記第１の機能装置部の遠隔制御用の操作ボタンと重複して割り当てられていると共に、
前記遠隔制御装置の前記第１の機能装置部の遠隔制御用の操作ボタン群のうちの、前記特定の前記第２の機能装置部の遠隔制御機能が他の操作ボタンと重複して割り付けられている操作ボタンは、割り付けられている前記遠隔制御機能が、さらに別の遠隔制御機能に割付変更可能とされている
ことを特徴とする複合装置を提供する。
【手続補正４】
【補正対象書類名】明細書
【補正対象項目名】００１１
【補正方法】変更
【補正の内容】
【００１１】
上述の構成の請求項１の発明によれば、複合装置の遠隔制御装置の操作ボタンのうちの、他の操作ボタンと重複して再生についての制御機能が割り当てられていた操作ボタンに、他の制御機能が切り替え設定されて割り当て変更される。割り付けられる制御機能が変更された操作ボタンの、変更前の制御機能は、他の操作ボタンと重複して割り当てられているので、当該変更前の制御機能が起動できなくなると言う事態は生じない。
【手続補正５】
【補正対象書類名】明細書
【補正対象項目名】００１２
【補正方法】変更
【補正の内容】
【００１２】
この発明によれば、２つの機能が切り替え可能に設定される操作ボタンの、一方の制御機能は、重複して他の操作ボタンに割り当てられているので、切り替え可能な２つの機能の一方しか起動できなるという不都合を回避することができる。
【手続補正６】
【補正対象書類名】明細書
【補正対象項目名】００３２
【補正方法】変更
【補正の内容】
【００３２】
したがって、操作コントローラ４０では、フォワード方向のサーチ（早送り再生）およびバックワード方向のサーチ（巻戻し再生）の機能は、Ｌ２ボタン４８ＬおよびＲ２ボタン４８Ｒと、十字型方向指示ボタン４５の、左方向および右方向の操作ボタン部とに、重複して割り付けられている。
【手続補正７】
【補正対象書類名】明細書
【補正対象項目名】００４０
【補正方法】変更
【補正の内容】
【００４０】
したがって、リモートコマンダ５０においても、操作コントローラ４０と同様に、フォワード方向のサーチ（早送り再生）およびバックワード方向のサーチ（巻戻し再生）の機能は、操作ボタン５３５と、操作ボタン５４５，５４６とに重複して割り付けられている。
【手続補正８】
【補正対象書類名】明細書
【補正対象項目名】００４１
【補正方法】変更
【補正の内容】
【００４１】
［複数の機能が割り付けられる操作ボタン］
この実施形態では、操作コントローラ４０のうちの、十字型方向指示ボタン４５と、Ｌ２ボタン４８ＬおよびＲ２ボタン４８Ｒとには、リモコン制御機能として、前記のように再生モードの時におけるフォワード方向のサーチ（早送り再生）およびバックワード方向のサーチ（巻戻し再生）の機能が、重複して割り付けられている。
【手続補正９】
【補正対象書類名】明細書
【補正対象項目名】００４２
【補正方法】変更
【補正の内容】
【００４２】
また、これに対応して、リモートコマンダ５０では、操作ボタン群５３のうちの操作ボタン５３５と、操作ボタン群５４のうちの、操作ボタン５４５および５４６とには、同様にして、フォワード方向のサーチ（早送り再生）およびバックワード方向のサーチ（巻戻し再生）の機能が、重複して割り付けられている。